(57)【要約】      （修正有）【課題】イベントや場所への対象者の入場許可または規制する方法及びシステムを提供する。【解決手段】システム１０３は、対象者１０１の電子機器に第１の識別子を送信する１０４。第１の識別子は、色（画像色や背景色）などの少なくとも１のグラフィック項目である。同時にシステム１０３は、チェッカー１０２の電子機器に第２の識別子を送信する１０５。チェッカー１０２は第１の識別子と第２の識別子を照合し、第１の識別子と第２の識別子が一致すれば、対象者１０１はイベントや場所への出入りを許可される。【選択図】図１
2015092325.tif 000002
【特許請求の範囲】
【請求項１】
イベントや場所への来場者の出入りを許可する方法であって、
（ａ）少なくとも１のグラフィック項目を含む第１の識別子を、該イベントや場所への入場を求める来場者の要求に応答して、該来場者の来場者側電子機器に提示すること、
（ｂ）該第１の識別子と少なくとも一部が同じである第２の識別子を、該イベントや場所への入場を求める該来場者の要求に応答して、該イベントや場所への出入りを規制または監視するチェッカーのチェッカー側電子機器に提示すること、および
（ｃ）該チェッカー側電子機器から、該来場者が該イベントや場所への出入りを許可されたという指示を受け取ること、を含む方法。
【請求項２】
前記（ａ）は、該来場者側電子機器に対し、（ｉ）コンピュータプロセッサを用いて、該第１の識別子を発生すること、および（ｉｉ）該来場者側電子機器の電子ディスプレイに該第１の識別子を表示すること、を命令することをさらに含む、請求項１に記載の方法。
【請求項３】
前記（ｂ）は、該チェッカー側電子機器に対し、該チェッカー側電子機器の電子ディスプレイに該第２の識別子を表示することを命令することをさらに含む、請求項１に記載の方法。
【請求項４】
前記（ｃ）で受け取った該指示を、メモリの所定の場所に記憶することをさらに含む、請求項１に記載の方法。
【請求項５】
該指示を該来場者側電子機器の電子ディスプレイに表示することをさらに含む、請求項１に記載の方法。
【請求項６】
該指示を該チェッカー側電子機器の電子ディスプレイに表示することをさらに含む、請求項１に記載の方法。
【請求項７】
該少なくとも１のグラフィック項目は１つの色である、請求項１に記載の方法。
【請求項８】
該第１の識別子または該第２の識別子は、時間で区切られたグラフィック項目の配列である、請求項１に記載の方法。
【請求項９】
該第１の識別子または該第２の識別子は、色の配列である、請求項８に記載の方法。
【請求項１０】
該第１の識別子は、該来場者が該チェッカーの地理的位置またはその付近にいるときに提示される、請求項１に記載の方法。
【請求項１１】
前記（ａ）が、（ｉ）該来場者の地理的位置を把握すること、および（ｉｉ）該地理的位置と該チェッカーの該地理的位置とを比較すること、をさらに含む、請求項１０に記載の方法。
【請求項１２】
該第２の識別子は、該第１の識別子と同じである、請求項１に記載の方法。
【請求項１３】
イベントや場所への来場者の出入りを規制するシステムであって、
（ａ）来場者によって操作される来場者側電子機器であって、少なくとも１のグラフィック項目を含む第１の識別子を、該イベントや場所への入場を求める該来場者の要求に応答して、該来場者に対して提示するようプログラムされた来場者側電子機器と、
（ｂ）該イベントや場所への出入りを規制または監視するチェッカーによって操作されるチェッカー側電子機器であって、該イベントや場所への入場を求める該来場者の要求に応答して、該第１の識別子と少なくとも一部が同じである第２の識別子を該チェッカーに対して提示するようプログラムされたチェッカー側電子機器と、
（ｃ）該来場者側電子機器および該チェッカー側電子機器と通信可能なサーバであって、該チェッカー側電子機器から、該来場者が該イベントや場所への出入りを許可されたという指示を受け取るサーバ、とを含むシステム。
【請求項１４】
該サーバは、該来場者側電子機器に対し、（ｉ）コンピュータプロセッサを用いて、該第１識別子を発生すること、および（ｉｉ）該来場者側電子機器の電子ディスプレイに該第１の識別子を表示すること、を命令する、請求項１３記載のシステム。
【請求項１５】
該サーバは、該チェッカー側電子機器に対し、該チェッカー側電子機器の電子ディスプレイに該第２の識別子を表示することを命令する、請求項１３記載のシステム。
【請求項１６】
該サーバは、該指示を記憶するメモリを含む、請求項１３記載のシステム。
【請求項１７】
該少なくとも１のグラフィック項目は１つの色である、請求項１３記載のシステム。
【請求項１８】
該第１の識別子または該第２の識別子は、時間で区切られたグラフィック項目の配列である、請求項１３記載のシステム。
【請求項１９】
該第１の識別子または該第２の識別子は、色の配列である、請求項１３記載のシステム。
【請求項２０】
該サーバは、（ｉ）該来場者が該チェッカーの地理的位置またはその付近にいるかどうか判定し、かつ（ｉｉ）該来場者側電子機器に対し、該来場者が該地理的位置またはその付近にいるときに該第１の識別子を提示することを命令する、請求項１３のシステム。
【請求項２１】
該サーバは、該来場者側電子機器の地理位置システムを用いて、該来場者が該チェッカーの該地理的位置またはその付近にいるかどうか判定する、請求項２０のシステム。
【請求項２２】
該第２の識別子は、該第１の識別子と同じである、請求項１３記載のシステム。
【請求項２３】
１以上のコンピュータプロセッサによって実行されると、イベントや場所への来場者の出入りを許可する方法を実施する、機械によって実行可能なコードを含むコンピュータによって読み取り可能な媒体であって、前記方法は、
（ａ）少なくとも１のグラフィック項目を含む第１の識別子を、該イベントや場所への入場を求める来場者の要求に応答して、該来場者の来場者側電子機器に提示すること、
（ｂ）該第１の識別子と少なくとも一部が同じである第２の識別子を、該イベントや場所への入場を求める該来場者の要求に応答して、該イベントや場所への出入りを規制または監視するチェッカーのチェッカー側電子機器に提示すること、および
（ｃ）該チェッカー側電子機器から、該来場者が該イベントや場所への出入りを許可されたという指示を受け取ること、を含む、媒体。
【発明の詳細な説明】
【技術分野】
【０００１】
関連出願の参照
[0001] 本出願は、２０１３年１０月２３日出願の米国特許仮出願第６１／８９４，７８９号、及び２０１４年２月７日出願の米国特許仮出願第６１／９３７，４１１号に関連するものであり、当該米国出願に記載された全ての記載内容を参照によってここに組み込まれるものである。
【背景技術】
【０００２】
背景技術
[0002] 劇場、映画館、遊園地、動物園、博物館、スタジアム、コンサートなどのイベントや施設への入場を対象者に許可させるために、あるいは大型旅客機、電車、バス、ボートなどの車両での旅行の許可を対象者に与えるために、チケットが用いられることがある。チケットは、対象者がイベントや施設へ入場料を支払ったこと、あるいは旅行代金を支払ったことを示すバウチャーであってもよい。チケットには、無料のもの、有料のものがあり、イベントや施設あるいはその他の出入りが規制されている、エリアや場所やイベントに対する出入り権の証明や予約した証明になる場合もある。
【０００３】
[0003] 入場を希望する対象者は、一般的に、チケットを購入し、その有効性を確認する人に購入したチケットを提示する。チケットが有効と判断されれば、許可される場合がある。チケットが有効ではないと判断されれば、許可されない場合がある。
【発明の概要】
【発明が解決しようとする課題】
【０００４】
発明の概要
[0004] チケットの有効性を確認する従来の方法には様々な問題がある。大型イベント（例えば、８００人を超える来場者のイベント）では、各対象者のチケットをチェックするには、チケットの有効性を確認して入場の許可を与えるチェッカーが多数必要になる。これをすれば、資源が集約されるおそれがある。時間制約下で作業するチェッカーもいるので正確に確認できないチケットもあるため、すべての対象者が正しくイベントへ入場したと保証することは難しい。したがって、不正入場を確実に防止することが難しくなる。
【０００５】
[0005] 施設によっては、イベント開始と入場を許可時点との時間を長く設定することで、この問題の解決を図ろうとしている。しかし、このことは、施設にとっても、所定のイベントのために施設への入場を求める対象者にとっても、時間のロスにつながる。
【０００６】
[0006] したがって、チケットの有効性を確認することや、イベントへの入場許可を対象者に与えることを最適化するシステムおよび方法が必要である。
【０００７】
[0007] 本開示は、会場や施設で、確実性と安全性を維持しながら、１枚毎にチケットを確認しなくてもチェックインプロセスが迅速に行える方法およびシステムを提供する。このシステムおよび方法によれば、会場側は、実質的にたくさんの人数の対象者（来場者）を迅速にチェックインさせることが可能となる。これは、対象者とチェッカーに提示される固有の識別子を用いて実行できる。所定の対象者の識別子がチェッカーの識別子と一致すれば、対象者は入場を許可される。
【０００８】
[0008] 識別子は、１以上のテキスト、グラフィック、サウンド、あるいはこれらの組合せおよび／または配列であってもよい。あるいは、識別子は、１つの色または色の配列であってもよく、これを電子機器の電子ディスプレイの少なくとも一部（背景など）に提示してもよい。
【０００９】
[0009] 例えば、チェックインプロセスにおいて、来場者をチェックインするようにプログラムされたシステムを用いて、各来場者とチェッカーの電子機器に、色のランダム配列を送信してもよい。チェッカーは、来場者の色配列がチェッカーのものと一致することを確かめるだけでよい。
【００１０】
[0010] 本開示の一局面は、少なくとも１のグラフィック項目を含む第１の識別子を、イベントや場所への出入りを求める来場者の要求に応答して、前記来場者の来場者側電子機器に提示することを含む、イベントや場所への来場者の入場を許可する方法を提供する。次に、前記第１の識別子と少なくとも一部が同じである第２の識別子が、前記イベントや場所への入場を求める前記来場者の要求に応答して、前記イベントや場所への出入りを規制または監視するチェッカーのチェッカー側電子機器に提示される。次に、前記来場者が前記イベントや場所への出入りを許可されたという指示を、前記チェッカー側電子機器から受け取る。一態様において、前記方法は、前記来場者側電子機器に対し、（ｉ）コンピュータプロセッサを用いて、前記第１の識別子を発生すること、および（ｉｉ）前記来場者側電子機器の電子ディスプレイに前記第１の識別子を表示すること、を命令することをさらに含む。別の態様において、前記方法は、前記チェッカー側電子機器に対し、前記チェッカー側電子機器の電子ディスプレイに前記第２の識別子を表示することを命令すること、をさらに含む。別の態様において、前記方法は、前記指示をメモリの所定の場所に記憶することをさらに含む。別の態様において、前記方法は、前記指示を前記来場者側電子機器の電子ディスプレイに表示することをさらに含む。別の態様において、前記方法は、前記指示を前記チェッカー側電子機器の電子ディスプレイに表示することをさらに含む。別の態様において、前記少なくとも１のグラフィック項目は１つの色である。別の態様において、前記第１の識別子または前記第２の識別子は、時間で区切られたグラフィック項目の配列からなる。別の態様において、前記第１の識別子または前記第２の識別子は、色の配列からなる。別の態様において、前記第１の識別子は、前記来場者が前記チェッカーの地理的位置またはその付近にいるときに提示される。別の態様において、前記方法は、（ｉ）前記来場者の地理的位置を把握すること、および（ｉｉ）前記地理的位置と前記チェッカーの地理的位置とを比較すること、をさらに含む。別の態様において、前記第２の識別子は、前記第１の識別子と同じである。
【００１１】
[0011] 本開示の別の局面は、来場者によって操作される、少なくとも１のグラフィック項目を含む第１の識別子を、イベントや場所への入場を求める前記来場者の要求に応答して、前記来場者に対して提示するようプログラムされた来場者側電子機器を含む、イベントや場所への来場者の出入りを規制するシステムを提供する。前記システムは、前記イベントや場所への出入りを規制または監視するチェッカーによって操作されるチェッカー側電子機器であって、前記イベントや場所への入場を求める前記来場者の要求に応答して、前記第１の識別子と少なくとも一部が同じである第２の識別子を前記チェッカーに対して提示するようプログラムされた電子機器をさらに含む。前記システムは、前記来場者側電子機器および前記チェッカー側電子機器と通信可能なサーバであって、前記チェッカー側電子機器から、前記来場者が前記イベントや場所への出入りを許可されたという指示を受け取るサーバをさらに含む。一態様において、前記サーバは、前記来場者側電子機器に対し、（ｉ）コンピュータプロセッサを用いて、前記第１識別子を発生すること、および（ｉｉ）前記来場者側電子機器の電子ディスプレイに前記第１の識別子を表示すること、を命令する。別の態様において、前記サーバは、前記チェッカー側電子機器に対し、前記チェッカー側電子機器の電子ディスプレイに前記第２の識別子を表示することを命令する。別の態様において、前記サーバは、前記指示を記憶するメモリを含む。別の態様において、前記少なくとも１のグラフィック項目は１つの色である。別の態様において、前記第１の識別子または前記第２の識別子は、時間で区切られたグラフィック項目の配列からなる。別の態様において、前記第１の識別子または前記第２の識別子は、色の配列からなる。別の態様において、前記サーバは、（ｉ）前記来場者が前記チェッカーの地理的位置またはその付近にいるかどうか判定し、かつ（ｉｉ）前記来場者側電子機器に対し、前記来場者が前記チェッカーの地理的位置またはその付近にいるときに前記第１の識別子を提示することを命令する。別の態様において、前記サーバは、前記来場者側電子機器の地理位置システムを用いて、前記来場者が前記チェッカーの地理的位置またはその付近にいるかどうか判定する。別の態様において、前記第２の識別子は、前記第１の識別子と同じである。
【００１２】
[0012] 本開示の別の局面は、１以上のコンピュータプロセッサによって実行されると上記その他本明細書の箇所に記載された方法を実行する、機械によって実行可能なコードを含む、コンピュータによる読み取り可能な媒体を提供する。
【００１３】
[0013] 本開示の別の局面は、１以上のコンピュータプロセッサと、前記１以上のコンピュータプロセッサによって実行されると上記その他本明細書の箇所に記載された方法を実行する、機械によって実行可能なコードを含むメモリと、を含むシステムを提供する。
【００１４】
[0014] 本開示のさらなる局面および利点は、説明のための例示の態様のみを示す以下の詳細な説明から当業者には容易に明らかになるであろう。本開示から逸脱することなく、本開示は他の異なる態様をとることが可能であり、またそのいくつかの詳細は様々な明らかな点で変更が可能であることは十分理解されるであろう。したがって、図および記載は、本質的に例示的なものであって、限定的なものとみなされるべきではない。
【００１５】
援用
[0015] 本明細書で言及された全ての刊行物、特許または特許出願の内容は、個々の刊行物、特許または特許出願において具体的かつ個別に援用されることが示された場合と同程度に、本明細書中に援用される。
【図面の簡単な説明】
【００１６】
図面の簡単な説明
[0016] 本発明の新規な特徴は、添付の請求項に詳細に述べられている。本発明の特徴および利点は、本発明の原理を利用する具体的な態様を述べる以下の詳細な説明、および添付図面（以下、「図」ともいう）を参照することによって、より理解されるであろう。
【００１７】
[0017]
【図１】本開示の実施態様に係る、対象者をチェックインする方法およびシステムの概略図である。
【００１８】
[0018]
【図２】本開示の実施態様に係る、エリアや場所でのイベントへの対象者の出入りを簡便化するようにプログラムされ、あるいはその他に構成されたコンピュータシステムの図である。
【００１９】
[0019]
【図４】イベントのチケットを所持する対象者のリストを示す、チェッカーのグラフィカルユーザインタフェース（ＧＵＩ）のスクリーンショットである。
【００２０】
[0020]
【図５】背景色によって提示される識別子を示す、チェッカー側のＧＵＩのスクリーンショットである。到着した来場者（対象者）のリストとイベントの名称もＧＵＩに示される。
【００２１】
[0021]
【図６】図４および図５のイベントに参加するためのチケットを所持する対象者側のＧＵＩのスクリーンショットである。
【００２２】
[0022]
【図７】チェッカーが図６の対象者の入場を許可した後の、図５のＧＵＩのスクリーンショットである。
【００２３】
[0023]
【図８】対象者がイベントを見つけ出してチェックインできるように構成されたアプリケーション（アプリ）のユーザインタフェースのスクリーンショットである。
【００２４】
[0024]
【図９】図８の来場者のイベント画面のスクリーンショットである。
【００２５】
[0025]
【図１０】図８の来場者のイベント画面のスクリーンショットである。
【００２６】
[0026]
【図１１】図８の来場者のマップ画面のスクリーンショットである。
【００２７】
[0027]
【図１２】図８の来場者のチケットのスクリーンショットである。
【００２８】
[0028]
【図１３】図８の来場者のディスカバー画面のスクリーンショットである。
【００２９】
[0029]
【図１４】図８の来場者のプロフィール画面のスクリーンショットである。
【発明を実施するための形態】
【００３０】
詳細な記載
[0030] 本発明の種々の態様を説明するが、そのような態様が例示の目的にすぎないことは当業者には明らかであろう。当業者であれば、本発明から逸脱することなく多数の変形、変更および置換に想到するであろう。したがって、本発明の態様に対する様々な代替を用いてもよいことが理解されるであろう。
【００３１】
[0031] ここで、「対象者」は、一般に、イベントや施設への入場、旅行の許可、出入りが規制されているイベント、エリア、場所への出入りの権利を求める個人（あるいはユーザ）をさす。対象者は、イベントや場所への来場者であってもよい。
【００３２】
[0032] ここで、「チェッカー」は、一般に、イベントや施設への出入りを許可したり、旅行を許可したり、出入りが規制されているイベント、エリア、場所へ出入りする権利を与えたりする、個人またはコンピュータシステムをさす。
【００３３】
[0033] ここで、「チケット」は、一般に、対象者が、イベントや施設への入場の権利、旅行する権利、または出入りが規制されているイベント、エリア、場所へ出入りする権利を有することを示すバウチャーをさす。一例では、チケットは、紙などの物体である。別の例では、チケットは、対象者またはチェッカーの電子機器の、グラフィカルユーザインタフェース（ＧＵＩ）などのユーザインタフェース（ＵＩ）に表示される、グラフィックおよび／またはテキスト情報を含む電子チケットである。別の例では、チケットは可聴情報を含む。チケットは、識別子を含むものであってもよいし、識別子と組み合わせられたものであってもよく、識別子は、チェッカーが、対象者がエリアや場所に入場してよいかどうかを、例えば、対象者のチケットの有効性を確認することにより判断できるように構成されている。そのような有効性確認がチェックインによって行なわれてもよい。
【００３４】
[0034] ここで、「チェックイン」は、チェッカーが、対象者のチケットの有効性を確認するなどして、その対象者の入場の有効性を確認することをさす。例えば、チェッカーが対象者のチケットの有効性を確認したとき、あるいはその他に対象者がイベントへの参加を許可されているとチェッカーがわかったとき、対象者はイベントにチェックインされた、という。
【００３５】
[0035] ここで、「識別子」は、一般に、１つのテキスト、グラフィックまたは可聴項目、または、これらの配列または組み合わせのもの（例えば、グラフィック項目の配列または組み合わせ、グラフィックおよびテキスト項目の配列または組み合わせ、グラフィックおよび可聴項目の配列または組み合わせ）をさす。あるいは、識別子は、例えば、１つの色または１つ以上の色の配列（例えば、赤、青および緑系の色の配列、赤系の色の配列）である。
【００３６】
[0036] ここで、「一致」または「同じ」は、一般に、等しいまたは実質的に等しいことを意味する。第１の項目が第２の項目と少なくとも７０％、８０％、９０％、９５％、９９％、９９．９％、９９．９９％、９９．９９９％または９９．９９９９％等しければ、第１の項目は第２の項目と一致する（または、同じ）、という。例えば、第１の色および第２の色が同じ色（例えば、赤）であれば、第１の色は第２の色と一致する。一方、第１の色および第２の色が異なる色であれば、第１の色は第２の色と一致しない。
【００３７】
対象者の出入りを許可する方法
[0037] 本開示は、イベントや施設への出入り、旅行する権利、出入りが規制され、あるいはその他に監視されているエリアや場所へ出入りする権利などの、対象者の出入りやチェックインを簡便化する方法を提供する。本開示の方法によれば、イベントや場所への対象者の出入りの有効性確認を迅速かつ安全に行うことができる。例えば、対象者の出入りする権利の有効性確認が、最大５分、１分、３０秒、２０秒、１０秒、９秒、８秒、７秒、６秒、５秒、４秒、３秒、２秒、１秒または０．５秒程度の時間ですむ。したがって、本開示の方法によれば、対象者をイベントや場所へ正しく入場させられる速度もしくは割合を実質的に上げることができ、ビジネスにおいて、例えば、正しい入場から得られる収益を最大にし、不正入場による損失を抑えることができる。
【００３８】
[0038] 一局面において、エリアや場所への対象者の出入りを許可する方法は、識別子を発生するようにプログラムされたコンピュータプロセッサを備えるコンピュータシステムから、チェッカーの電子機器へ第１の識別子を送信することを含む（例えば、図２参照）。前記方法は、前記コンピュータシステムから、対象者の電子機器へ第２の識別子を送信することをさらに含む。第２の識別子は、少なくとも一部、ほとんど、またはすべてが第１の識別子と同じであってもよい。チェッカーは、第２の識別子を照合して、第１の識別子が第２の識別子と一致するかどうか判断することができる。第１の識別子が第２の識別子に一致すれば、チェッカーは、前記エリアや場所への対象者の出入りを許可ことができる。一方、第１の識別子が第２の識別子に一致しなければ、チェッカーは、そのエリアや場所への対象者の出入りを許可しない。対象者がそのエリアや場所への出入りを許可されたか否かという指示を、前記コンピュータシステムはチェッカーの電子機器から受け取ることができる。
【００３９】
[0039] 第１の識別子および第２の識別子は、チェッカーの電子機器と対象者の電子機器に、それぞれ、同時または実質的に同時に送信されてもよい。あるいは、第１の識別子および第２の識別子は、チェッカーの電子機器と対象者の電子機器に、それぞれ、順次送信されてもよい。例えば、チェッカーがまず第１の識別子を受け取り、次に対象者が第２の識別子を受け取ってもよい。あるいは、対象者がまず第２の識別子を受け取り、次にチェッカーが第１の識別子を受け取ってもよい。
【００４０】
[0040] 第１の識別子および第２の識別子は、例えば、少なくとも１つの色または一連の色、少なくとも１つの視覚画像または一連の視覚画像、または少なくとも１つの色と１つの視覚画像の組合せなど、少なくとも１つのグラフィック項目であってもよい。例えば、識別子は、１つの視覚画像、１つの下地色（例えば、背景色）、またはこれら視覚画像と下地色との組み合わせである。あるいは、例えば、識別子は、視覚画像と色の配列である。
【００４１】
[0041] 識別子（例えば、少なくとも１つの色または一連の色）は、チェッカーおよび／または対象者の電子ディスプレイの、その中央または隅、あるいはそのディスプレイ内のそれ以外のいかなる位置に設けられた特定領域に表示することができる。識別子は、グラフィックおよび／またはテキスト項目として電子ディスプレイに表示することができる。識別子は、ボーダー色、フォント色、背景色、オブジェクト色（例えば、色つきのスマイルマーク）など、１つの色または一連の色であってもよい。あるいは、一連の色および／または画像からなる識別子は、時間で区切られた色および／または画像の配列であってもよい。例えば、第１の識別子および第２の識別子は、赤、橙、黄色、緑、青、藍および紫から選択される１つの色または、これらの組み合わせであってもよい。あるいは、例えば、第１の識別子および第２の識別子は、時間で区切られた色（例えば、赤、橙、黄色、緑、青、藍および紫、またはこれらの組み合わせ）の配列であってもよい。また、例えば、第１の識別子および第２の識別子は、赤‐赤‐犬‐青‐青‐猫などと変化する色および画像の配列を含んでもよい。前記色および／または画像（または他の識別子）の配列において、個々の色および／または画像（または他の識別子）は、例えば、０．５秒、１秒、２秒、３秒、４秒、５秒、６秒、７秒、８秒、９秒、１０秒、２０秒、または３０秒程度の時間を空けて表示することができる。
【００４２】
[0042] 第１の識別子および第２の識別子を用いることにより、チェッカーは容易に、エリアや場所へ対象者を出入りさせてもよいかどうか判断できる。例えば、第１の識別子および第２の識別子が１つの色である場合、チェッカーは第１の識別子を確認し、これを第２の識別子と比較し、これらが同じかどうか判断できる。これらが同じであれば、チェッカーが対象者にエリアや場所への出入りを許可する。一方、同じでなければ、チェッカーが対象者にエリアや場所への出入りを許可しない。
【００４３】
[0043] 第１の識別子は、チェッカーの電子機器の電子ディスプレイに提示できる。第２の識別子は、対象者の電子機器の電子ディスプレイに提示できる。電子ディスプレイは、グラフィカルユーザインタフェース（ＧＵＩ）などのユーザインタフェース（ＵＩ）を含んでもよい。第１の識別子および第２の識別子は、チェッカーの電子機器および対象者の電子機器の電子ディスプレイのＵＩに提示できる。
【００４４】
[0044] チェッカーの電子機器および／または対象者の電子機器は、スレートパーソナルコンピュータやタブレットパーソナルコンピュータ（例えば、アップル  アイパッド（登録商標）、サムスン  ギャラクシータブ（登録商標））などの移動型または携帯型電子機器、電話、スマートフォン（例えば、アップル  アイフォン（登録商標）、アンドロイド対応機器、ブラックベリー（登録商標））、またはパーソナル携帯情報端末であってもよい。また、チェッカーの電子機器は、固定型パーソナルコンピュータ（ＰＣ）、スレートＰＣ、タブレットＰＣなどの、据置型電子機器であってもよい。
【００４５】
[0045] いくつかの態様において、イベントや場所への来場者の出入りを許可方法は、第１の識別子を、イベントや場所への入場を求める来場者の要求に応答して、前記来場者の来場者側電子機器に提示することを含む。第１の識別子は、少なくとも１のグラフィック項目を含む。次に、第２の識別子を、前記イベントや場所への入場を求める前記来場者の要求に応答して、チェッカーのチェッカー側電子機器に提示する。チェッカーは、イベントや場所への出入りを規制または監視する。第２の識別子は、第１の識別子と少なくとも一部またはすべて同じである。次に、指示を、前記チェッカー側電子機器から受け取る。この指示は、来場者がイベントや場所への出入りを許可されたか否かを示す。この指示は、来場者側電子機器および／またはチェッカー側電子機器と通信可能なコンピュータサーバが受け取るようにできる。
【００４６】
[0046] 前記サーバは、来場者側電子機器に対し、（ｉ）コンピュータプロセッサを用いて、第１識別子を発生すること、および（ｉｉ）来場者側電子機器の電子ディスプレイに第１の識別子を表示することを命令してもよい。前記サーバは、チェッカー側電子機器に対し、チェッカー側電子機器の電子ディスプレイに第２の識別子を表示することを命令してもよい。
【００４７】
[0047] 前記指示は、サーバのメモリの所定の場所に記憶される。前記指示は、来場者側およびチェッカー側電子機器の電子ディスプレイのいずれか、またはその両方に表示するようにしてもよい。
【００４８】
[0048] 前記第１の識別子は、前記来場者が前記チェッカーの地理的位置またはその付近にいるときに、来場者側電子機器に提示されるようにしてもよい。具体的な例として、来場者の地理的位置を、例えば、来場者側電子機器（例えば、全地球測位システム（ＧＰＳ）、無線三角測量）により把握し、チェッカーの地理的位置と比較する。来場者とチェッカーの地理的位置が同じまたは実質的に同じ、あるいは所定の距離（例えば、０．１マイル、０．２マイル、０．３マイル、０．４マイル、または０．５マイル）以内であれば、来場者には第１の識別子が提示される。そうでなければ、来場者に第１の識別子は提示されないようにしてもよい。
【００４９】
[0049] 図１に、イベント、エリアや場所への対象者の出入りを簡便化する方法およびシステムの概略を示す。対象者１０１（あるいは来場者）は、出入りがチェッカー１０２によって規制または監視されているイベント、エリアや場所への入場を希望している。エリアや場所は、例えば、スポーツの試合、コンサート、パーティなどのイベントの開催地であってもよいし、バーやレストランであってもよい。識別子を発生し、対象者１０１とチェッカー１０２が識別子を受け取り、照合できるようにプログラムあるいは構成されているコンピュータシステム１０３（あるいはサーバ）と通信可能な電子機器を、対象者とチェッカーはどちらも所持している。対象者１０１とチェッカー１０２がどちらも、携帯型（または移動型）電子機器を所持している場合がある。対象者１０１がチェッカー１０２の位置またはその近く、あるいは前記エリアや場所の位置またはその近辺にいるとき、対象者１０１は、システム１０３が１つの色または一連の色（例えば、色の配列）などの識別子を対象者へ提供することを要求する。システム１０３は、対象者１０１の電子機器に識別子を送信１０４する。識別子は、対象者１０１の電子機器の電子ディスプレイに提示されてもよい。識別子は、チケット（例えば電子チケット）の一部としてしてもよいし、チケットとは別であってもよい。システム１０３は、チェッカー１０２の電子機器にも識別子を送信１０５する。次に、チェッカー１０２は、対象者１０１の電子機器にある識別子を照合１０６し、対象者１０１の電子機器にある識別子が、チェッカー１０２の電子機器にある識別子と同じであるか（あるいは一致するか）どうか判断する。識別子が同じであれば、チェッカー１０２は対象者１０１が前記エリアや場所への出入り（例えば、入ること）を許可する。例えば、識別子がどちらも青色であれば、チェッカー１０２は識別子が一致すると判断し、対象者１０１の前記エリアや場所への出入りを許可することができる。
【００５０】
[0050] システム１０３は、上述の方法に柔軟性を高めるべく様々な特徴を持つようにプログラムされ、あるいはその他に構成されてもよい。システム１０３は、対象者１０１の電子機器に提示される識別子とチェッカー１０２の電子機器に提示される識別子とを確実に同期するようにプログラムされ、あるいはその他に構成されてもよい。これよって、チェッカー１０２は、最新版の識別子を照合して、前記エリアや場所への対象者１０１の出入りを許可してもよいかどうか、確実に判断することができる。この場合、トークンなどのランダムな（あるいは疑似ランダムな）数字を発生させ、そのトークンを所定の識別子（例えば、色または一連の色）と関連づける同期プロセスを、システム１０３に用いてもよい。識別子とトークンは対象者１０１とチェッカー１０２のそれぞれの電子機器に送信される。システム１０３は、これらの電子機器に、そこにあるトークンを送ってもらうよう要求し、チェッカー１０２の電子機器からのトークンに対して対象者１０１の電子機器からのトークンを比較し、これらが同じであるか判断するようにしてもよい。システム１０３は、少なくとも０．５秒、１秒、２秒、３秒、４秒、５秒、６秒、７秒、８秒、９秒または１０秒ごとに、電子機器にそのような要求を行ってもよい。あるいは、対象者１０１とチェッカー１０２の電子機器に、それぞれのトークンを定期的にシステム１０３に送信させ比較するようにしてもよい。例えば、これらの電子機器が、それぞれのトークンを少なくとも０．５秒、１秒、２秒、３秒、４秒、５秒、６秒、７秒、８秒、９秒または１０秒毎にシステムに１０３に送り、システム１０３が比較できるようにしてもよい。これによって、システム１０３がトークンを発生したときに、対象者１０１とチェッカー１０２の電子機器が同じ時間枠にあることが確保される。これらのトークンが同じであれば、システム１０３は対象者１０１とチェッカー１０２の電子機器が同期していると判断する。トークンが異なれば、システム１０３は対象者１０１とチェッカー１０２の電子機器に新しいトークンとそれに付いている識別子を送信してもよい。
【００５１】
[0051] システム１０３は、エリアや場所への入場を望む対象者ごとに、異なる識別子つきの異なるトークンを提供してもよい。システム１０３は、エリアや場所ごとに、異なる識別子つきの異なるトークンを提供してもよい。例えば、システム１０３はスポーツ大会とコンサートとで異なるトークンと識別子を用いてもよい。
【００５２】
[0052] また、システム１０３は、不正行為を防止できるようにプログラムされ、あるいはその他に構成されてもよい。例えば、対象者１０１がエリアや場所へ出入りするための入場料の支払いを済ませたこと、あるいはその他にエリアや場所への出入りが許されたことがシステム１０３によって確認された場合のみ、システム１０３が対象者１０１の電子機器に識別子を提供するようにしてもよい。例えば、対象者１０１が、チェッカー１０２またはエリアや場所から所定の距離（例えば１００フィート、１０フィート、５フィートまたは１フィート）内にいるときに、対象者１０１はシステム１０３から識別子を要求できるようにしてもよい。例えば、対象者の電子機器に、対象者１０１の地理位置をシステム１０３に送信する地理的位置（「地理位置」）装置を含め、対象者１０１がシステム１０３から識別子を要求するための要件を満たす距離の範囲内にいるかどうかをシステム１０３が判断できるようにしてもよい。これによって、チェッカー１０２は、対象者１０１がエリアや場所への入場地点あるいはその近く（例えば、１０フィート、５フィートまたは１フィート以内）にいるときに対象者１０１の識別子を照合することができ、これによって別の対象者による識別子のコピーを防止することができる。例えば、対象者１０１に、短い時間帯で、チェッカー１０２による照合のための識別子を提供することによって、他の対象者が識別子をコピーしたり、入場料を支払わずにエリアや場所に入ったりすることを防止できる。さらに、各対象者に提供される識別子（例えば、一連の色）を固有のものにしてもよく、他の対象者の識別子とは異なるものであってもよい。
【００５３】
[0053] 一例として、対象者１０１がイベントの場所に到着する。システム１０３は、対象者１０１の電子機器を介して、対象者がその場所にいると判断する。次に、システム１０３は、チェッカー１０２に、対象者１０１をイベントにチェックインさせる。
【００５４】
対象者の出入りを許可するためのコンピュータシステム
[0054] 本開示は、開示された方法を実行するようにプログラムあるいはその他に構成されたコンピュータ制御システムを提供する。一局面によれば、イベントや場所への来場者の出入りを規制するためのシステムは、来場者が操作する来場者側電子機器と、イベントや場所への出入りを規制あるいは監視するチェッカーが操作するチェッカー側電子機器と、来場者側電子機器および／またはチェッカー側電子機器と通信可能なコンピュータサーバ（本開示で、「サーバ」ともいう）と、を含む。
【００５５】
[0055] いくつかの態様において、来場者側電子機器は、少なくとも１のグラフィック項目からなる第１の識別子を、イベントや場所への入場を求める来場者の要求に応答して、前記来場者に提示するようにプログラムされる。チェッカー側電子機器は、少なくとも一部が第１の識別子と同じ第２の識別子を、前記イベントや場所への入場を求める前記来場者の要求に応答して、前記チェッカーに提示するようにプログラムされる。サーバは、前記来場者がイベントや場所への出入りを許可されたか否かについての指示をチェッカー側電子機器から受け取る。
【００５６】
[0056] 前記サーバは、来場者側電子機器に対し、（ｉ）コンピュータプロセッサを用いて、第１の識別子を発生すること、および（ｉｉ）来場者側電子機器の電子ディスプレイに前記第１識別子を表示すること、を命令する場合がある。サーバは、チェッカー側電子機器に対し、第２の識別子をチェッカー側電子機器の電子ディスプレイに表示することを命令してもよい。前記サーバは、来場者側電子機器に対し、来場者がチェッカーの地理的位置またはその付近もしくはイベントや場所の地理的位置またはその付近にいると前記サーバが判定するときに、第１の識別子を発生し表示することを命令する場合がある。そのような場合、サーバは、来場者側電子機器に対し、第１の識別子を来場者に提示することを命令してもよい。サーバは、来場者がチェッカーの地理的位置またはその付近、もしくはイベントや場所の地理的位置またはその付近にいるかどうかを、全地球測位システム（ＧＰＳ）や無線三角測量などの、来場者側電子機器の地理位置システムを用いて判定できるようにしてもよい。
【００５７】
[0057] 図２は、エリアや場所への対象者の出入りを簡便化するようにプログラムされ、あるいはその他に構成されたコンピュータシステム２０１の図である。コンピュータシステム２０１は、来場者側電子機器またはチェッカー側電子機器のいずれかまたは両方と通信可能なサーバ等のコンピュータサーバであってもよい。コンピュータシステム２０１は、例えば、識別子を発生し、チェッカーが照合できるように対象者の電子機器に識別子を送信する、というように、本開示の方法の様々な局面を制御できる。
【００５８】
[0058] コンピュータシステム２０１は、中央演算処理部（本開示で、ＣＰＵ、「プロセッサ」または「コンピュータプロセッサ」ともいう）２０５を含む。中央演算処理部２０５は、シングルコアプロセッサまたはマルチコアプロセッサ、または並列処理用の複数のプロセッサであってもよい。コンピュータシステム２０１はまた、メモリまたはメモリの所定の場所２１０（例えば、ランダムアクセスメモリ、読出し専用メモリ、フラッシュメモリ）と、電子記憶部２１５（例えば、ハードディスク）と、１以上の他のシステムと通信可能な通信インターフェース２２０（例えば、ネットワークアダプタ）と、周辺装置２２５（キャッシュ、他のメモリ、データストレージ、および／または電子ディスプレイアダプタなど）とを含む。メモリ２１０、記憶部２１５、インターフェース２２０、および周辺装置２２５は、通信バス（実線）を介して、マザーボードなどのＣＰＵ２０５と通信できる。記憶部２１５は、データを記憶するためのデータストレージ（またはデータリポジトリ）であってもよい。コンピュータシステム２０１は、通信インターフェース２２０を用いて、コンピュータネットワーク（「ネットワーク」）２３０と動作可能に結合される。ネットワーク２３０は、インターネット、代替インターネットおよび／またはエクストラネット、あるいはインターネットと通信可能なイントラネットおよび／またはエクストラネットであってもよい。ネットワーク２３０は、場合によっては通信ネットワークおよび／またはデータネットワークである。ネットワーク２３０は、１以上のコンピュータサーバを含むことができ、これによって分散型コンピューティング（例えば、クラウドコンピューティング）が可能となる。ネットワーク２３０は、例えばコンピュータシステム２０１を用いて、ピアツーピアネットワークを構築してもよく、これによって、コンピュータシステム２０１に結合された機器をクライアントまたはサーバとして動かすことも可能となる。
【００５９】
[0059] ＣＰＵ２０５は、プログラムやソフトウェアなどで表現される一連の機械によって読み取り可能な命令を実行できる。この命令は、例えばメモリ２１０などの所定の場所に記憶される。ＣＰＵ２０５が実行する操作として、フェッチ、デコード、エクセキュート、およびライトバックなどが挙げられる。
【００６０】
[0060] 記憶部２１５は、例えばドライバ、ライブラリ、記憶されたプログラムなど、ファイルを記憶できる。コンピュータシステム２０１は、例えばイントラネットまたはインターネット経由でコンピュータシステム２０１と通信可能な遠隔サーバ上に置かれているなどの、コンピュータシステム２０１に外付けの１以上の追加のデータ記憶部を含んでもよい。
【００６１】
[0061] コンピュータシステム２０１は、ネットワーク２３０を介して１以上のリモートコンピュータシステムと通信させてもよい。図示例では、システム２０１は、対象者２３５の電子機器およびチェッカー２４０の電子機器と通信できるが、これらはシステム２０１の遠方に置かれていてもよい。電子機器は、対象者２３５およびチェッカー２４０の地理位置を確認できる地理位置システムを含んでもよい。対象者２３５の電子機器およびチェッカー２４０の電子機器はそれぞれ、１以上のコンピュータプロセッサ、および前記１以上のコンピュータプロセッサと通信可能なコンピュータメモリを含んでもよい。対象者２３５およびチェッカー２４０のそれぞれの電子機器は、グラフィカルユーザインタフェースなどのユーザインタフェースとなる電子ディスプレイを含んでもよい。対象者２３５およびチェッカー２４０のそれぞれの電子機器の電子ディスプレイの例として、コンピュータモニタ、抵抗膜方式または静電容量方式のタッチスクリーンが挙げられる。
【００６２】
[0062] システム２０１は、ネットワーク２３０を介して電子機器と通信していてもよい。電子機器２３５および２４０として、パーソナルコンピュータ（例えば、携帯型ＰＣ）、スレートＰＣまたはタブレットＰＣ（例えば、アップル（登録商標）  アイパッド、サムスン（登録商標）  ギャラクシータブ）、電話、スマートフォン（例えば、アップル（登録商標）  アイフォン、アンドロイド対応機器、ブラックベリー（登録商標））、パーソナル携帯情報端末などを用いてもよい。電子機器２３５および２４０は、移動型（または携帯型）であってもよいし、固定型であってもよい。
【００６３】
[0063] 本開示の方法は、例えば、メモリ２１０や電子記憶部２１５上など、コンピュータシステム２０１の電子記憶場所に記憶された、機械（例えば、コンピュータプロセッサ）によって実行可能なコードを用いて実行することができる。機械によって実行可能な、または機械によって読み取り可能なコードは、ソフトウェアの形態であってもよい。使用時、コードはプロセッサ２０５により実行されてもよい。また、コードを記憶部２１５から読み出し、プロセッサ２０５がすぐにアクセスできるようにメモリ２１０上に記憶してもよい。また、電子記憶部２１５を使用せず、機械によって実行可能な命令をメモリ２１０上に記憶してもよい。
【００６４】
[0064] コードは、あらかじめコンパイルし、コードを実行するプロセッサを含むマシンで用いられるよう構成してもよいし、実行時にコンパイルしてもよい。コードの供給は、事前にコンパイルして、あるいはコンパイルしながらコードを実行できるように選択されたプログラム言語で行ってもよい。
【００６５】
[0065] ここで開示されたシステムおよび方法の局面、例えば、コンピュータシステム２０１は、プログラミングに具体化されていてもよい。開示された技術の様々な局面は、「製品」または「製造の物品」と見なしてもよく、これらは一般的に、ある種の機械によって読み取り可能な媒体で搬送あるいは具体化される、機械（あるいはプロセッサ）によって実行可能なコードおよび／または関連データという形をとる。機械によって実行可能なコードは、例えば、メモリ（読出し専用メモリ、ランダムアクセスメモリ、フラッシュメモリ）やハードディスクなどの電子記憶部に記憶できる。「記憶」型媒体は、各種半導体メモリ、テープドライブ、ディクスドライブなどを例として、コンピュータまたはプロセッサなどの有形メモリ、あるいはそれらの関連モジュールのいずれかあるいはすべてを含み、これらによってソフトウェアプログラミングのための非一時的な記憶を任意の時点で提供できる。ソフトウェア全体または一部は、インターネットや他の様々な通信ネットワークを介して適時に通信するものであってもよい。そのような通信によって、例えば、１つのコンピュータやプロセッサから別のコンピュータやプロセッサへ、例えば、管理サーバやホストコンピュータからアプリケーションサーバのコンピュータプラットホームへのソフトウェアのダウンロードが可能となる。したがって、ソフトウェア構成要素を具備するための別の種類の媒体の例としては、有線回線や光回線あるいは各種エアリンクを介して、ローカルデバイス間の物理インターフェース上で用いられるような、光学波、電波、電磁波を含む。そのような波を搬送する物理要素、例えば、有線あるいは無線リンク、光リンクなどもソフトウェアを具備する媒体であると見なすことができる。ここで、非一時的な有形「記憶」媒体に限定されない限り、コンピュータや機械によって「読み取り可能な媒体」などの用語は、プロセッサに命令を与え実行させることに関与するあらゆる媒体をさす。
【００６６】
[0066] したがって、機械によって読み取り可能な媒体、例えば、コンピュータによって実行可能なコードは、特に限定されないが、有形の記憶媒体、キャリア波媒体または物理搬送媒体などの多数の形態をとりうる。不揮発性記憶媒体は、図面に示されたデータベースなどを実現するために用いられるような、コンピュータなどに内蔵された記憶装置のような、光学ディスクや磁気ディスクを含む。揮発性記憶媒体は、そのようなコンピュータプラットホームのメインメモリなど、ダイナミックメモリを含む。有形搬送媒体は、コンピュータシステム内部のバスからなる伝送路など、同軸ケーブル（銅線、光ファイバーなど）を含む。キャリア波搬送媒体は、例えば無線周波（ＲＦ）通信時や赤外線（ＩＲ）データ通信時に発生する、電気信号や電磁信号あるいは音波や光波などの形態をとってもよい。コンピュータによる読み取り可能な媒体の通常の形態としては、例えば、フロッピーディスク、フレキシブルディスク、ハードディスク、および磁気テープなどの磁気媒体、ＣＤ−ＲＯＭ、ＤＶＤ、またはＤＶＤ−ＲＯＭなどの光学媒体、パンチカード紙テープなど一定パターンの孔を有する物理記憶媒体、ＲＡＭ、ＲＯＭ、ＰＲＯＭ、ＥＰＲＯＭ、およびＦＬＡＳＨ−ＥＰＲＯＭなどのメモリチップまたはカートリッジ、データまたは命令を伝えるキャリア波、そのようなキャリア波を送るケーブルやリンク、およびコンピュータがそこからプログラミングコードおよび／またはデータ読み出すその他の媒体が挙げられる。これらコンピュータによる読み取り可能な媒体の形態の多くは、１または複数の一連の命令を、実行のためにプロセッサへ搬送することに関与することができる。
【００６７】
[0067] コンピュータシステム２０１は、識別子などを提供するためのユーザインタフェース（ＵＩ）からなる電子ディスプレイを含み、あるいはそのような電子ディスプレイと通信可能なものであってもよい。ＵＩの例として、これに限定されないが、グラフィカルユーザインタフェース（ＧＵＩ）、ウェブベースのユーザインタフェースが挙げられる。あるいは、電子ディスプレイは、コンピュータモニタ、抵抗膜方式または静電容量方式のタッチスクリーンであってもよい。
【００６８】
[0068] 本開示の方法およびシステムは、チェッカー側および対象者側の電子機器にインストールされたアプリケーション（「アプリ」）を利用して容易に行うことができる。アプリは、対象者側およびチェッカー側の電子機器に、識別子を、対象者のチケットなど他の情報と併せて表示されるようにプログラムされ、あるいはその他に構成されてもよい。
【００６９】
[0069] 図３は、対象者（来場者）が所定のイベントや場所にチェックインできるように構成されたアプリのユーザインタフェース３０１を示す。ユーザインタフェース３０１は、対象者がアプリの様々な機能間を移動できるように複数のメニュー項目３０２〜３０５を含む。メニュー項目３０２〜３０５は、ユーザがいろいろなメニュー項目３０２〜３０５間を移動している間、静止して変わらないようにしてもよい。第１のメニュー項目３０２は、対象者が、チケットを購入などして入場を要求したイベントを見ることができるイベントメニュー項目である。第２のメニュー項目３０３は、対象者の地理位置またはその付近、あるいは対象者が選択した場所でのイベントを見つけることができるディスカバーメニュー項目である。第２のメニュー項目３０３から、対象者は他のイベントを見つけて、それらのイベントへの入場を要求することができる。第３のメニュー項目３０４は、対象者に関連するかもしれない、利用可能なクーポンなどのお得な情報を見ることができるクーポンメニュー項目である。クーポンの例として、イベントへの割引が挙げられる。第４のメニュー項目３０５は、システム上で管理されている対象者のプロフィール（例えば、名前、好き嫌いなど）を見ることができる、プロフィールメニュー項目である。
【００７０】
[0070] ユーザインタフェース３０１は、所定のイベントへの入場のためのチケットを提示する第１の領域３０６を更に含み、対象者が第１のメニュー項目３０２からその所定イベントを選んだときにそのチケットが対象者に提示されるようになってもよい。チケットは、前記所定のイベント特有の、あるいはチェッカーがそれによって対象者を前記所定のイベントに入場させてもよいかどうか判断できる、バーコードなどのグラフィック、数字および／またはテキスト情報を含んでもよい。対象者がイベントにチェックインしようとする時点で、第１領域３０６には、少なくとも１のグラフィック項目やグラフィック項目の配列などを含む識別子が表示されてもよい。例えば、識別子は色または色の配列であってもよい。この識別子によって、チェッカーは、前記所定のイベントへ対象者をチェックインすることができるようになっていてもよい。
【００７１】
[0071] ユーザインタフェース３０１は、前記所定のイベントへの来場者のリストを含む第２の領域３０７を更に含む。リストには、対象者を含めることができる。また、リストには、対象者を含め、来場者の識別情報および来場者のチェックイン状況（例えば、到着済、未到着、チェックイン済）を含めることができる。例えば、来場者が所定のイベントの場所にまだ到着していないとき、その来場者の状況は「未到着」であってもよい。来場者が所定のイベントの場所へ到着したとき、その来場者の状況は「到着済」となっていてもよい。来場者がチェッカーによりイベントにチェックインされると、その来場者の状況は「チェックイン済」となっていてもよい。
【００７２】
実施例１
[0072] 図４から図７は、所定の場所で開催されるイベントへの対象者の出入りを簡便化するための識別子を示す、グラフィカルユーザインタフェースのスクリーンショットの例である。
【００７３】
[0073] 図４を参照して分かるように、イベント主催者（チェッカー）がサインインして、対象者（来場者の候補）をチェックインしようとするとき、イベント主催者は、従来通りチケットを用いたりして来場者をチェックインしてもよいし、識別子と組み合わせたチケット（「ＣｏｌｏｒＳｙｎｃ」）を用いてもよい。図４のスクリーンショットは、チェッカー側電子機器の電子ディスプレイに表示されるＧＵＩである。ＧＵＩには、対象者のリスト（左端の欄）と各対象者が所有するチケットの数（左端の欄の右側の欄）が表示されている。右上のドロップダウンメニューは、チェッカーによる、イベントに対象者をチェックインさせる方法が示される。
【００７４】
[0074] 図５を参照して分かるように、チェッカーが図４のドロップダウンメニューからＣｏｌｏｒＳｙｎｃを選択すれば、チェッカー側の電子ディスプレイのウィンドウには、１色以上の背景色を含む識別子が光る。図５のＧＵＩのバックグラウンド５０１で、複数の色（例えば、同じ色、または複数の異なる色）、例えば１秒間隔の色の配列を、順番に光らせてもよい。例えば、バックグラウンド５０１の色は、対象者をイベントへ入場させてもよいことをチェッカーが確認できるまでの間、赤→青→赤と順番に繰り返し変化してもよい。
【００７５】
[0075] 図６は、対象者の電子機器の電子ディスプレイに表示されるＧＵＩつきアプリを示す。ＧＵＩには、来場者の名前と写真およびイベントの名称を含む、イベントのチケットが示される。図６のＧＵＩには、チェッカー側電子ディスプレイに表示された識別子にあわせたタイミングでその識別子が表示される。図５のＧＵＩの識別子は、バックグラウンド５０１に表示される色をもって表示されることになる。図示例では、図６のＧＵＩは、チェッカー側電子ディスプレイ上の色の点滅にあわせたタイミングで、バックグラウンド６０１上で順番に色を点滅させる。例えば、チェッカー側電子ディスプレイおよび対象者側電子ディスプレイに、同時に、赤、赤、青の色が順番に表示される。チェッカーは、対象者側電子ディスプレイのバックグラウンド６０１に表示された色を確認し、それらの色をチェッカー側電子ディスプレイの色と比較する。色が一致すれば、チェッカーは対象者にイベントへの出入りを許可する。図７は、イベントへの出入りを許可された対象者（「ダイアン  様」）が表示されたチェッカー側のＧＵＩを示す。
【００７６】
[0076] 対象者側のＧＵＩは、様々な機能を対象者に提供することができる。図６を参照して分かるように、ＧＵＩのメニュー６０２には、いろいろな選択可能なメニュー項目が含まれる。「マイイベント」メニュー項目を選択することにより、対象者は、チケットを購入するなどして参加を予定しているイベントを見ることができる。「ディスカバー」メニュー項目を選択することにより、対象者は、特定の場所、例えば所定の都市、対象者の地理位置またはその付近で開催されるイベントなどを見つけることができる。「クーポン」メニュー項目を選択することにより、対象者が利用可能なイベント割引（例えば、コンサートの割引）などのお得情報が提示される。「プロフィール」メニュー項目を選択することにより、対象者は、例えば対象者の名前や所在地、支払情報を含むプロフィールを作成することができる。支払い情報を利用することによって、対象者は、「ディスカバー」メニュー項目からイベントのチケットを購入することができる。
【００７７】
実施例２
[0077] 図８から図１４は、対象者がイベントを探し出して、イベントにチェックインできるように構成されたアプリケーション（アプリ）のユーザインタフェースのスクリーンショットである。
【００７８】
[0078] 図８は、来場者が参加を予定しているイベントまたは活動を表示するイベント（「マイイベント」）画面を示す。ユーザインタフェースには、日付（「２０１４年１月１７日」）とイベントの場所（「サンフランシスコ」）が表示されている。図８の画面には、メニュー項目（「マイイベント」、「ディスカバー」、「クーポン」および「プロフィール」）を含む静止ナビゲーションメニュー８０１が示されている。来場者が図８の画面からイベントを選択すると、図９から図１０の画面が現れるようになっていてもよい。図９から図１０の画面には、そのイベントへの参加または参加予定の来場者人数、その参加状況（例えば、「今到着しました！」）などの様々な特徴、および来場者が自分の位置を確認しイベントや場所へのルートが把握できるようにするマップボタン９０１などの各種ボタンが示される。来場者がマップボタン９０１を選択すると、図１１の画面が現れ、来場者の現在の地理位置１１０１が示されてもよい。
【００７９】
[0079] 図９を参照して分かるように、領域９０２は来場者のチケットを表示する。図示例では、チケットはバーコードである。来場者がチケットを選択すると、図１２のスクリーンが示され、ここに、チケット１２０１（図示例では、バーコード）が現れるようになっていてもよい。来場者がそのイベントや場所の地理位置またはその付近（例えば、０．０１マイル、０．１マイル以内）にいれば、来場者はチケット１２０１を選択して識別子（例えば、色の配列）を表示することができ、イベントや場所でチェッカーに見せることができる。
【００８０】
[0080] 来場者がナビゲーションメニュー８０１からディスカバーメニュー項目を選択すると、来場者の地理位置またはその付近、もしくは来場者が選択した所定の場所（例えば、ニューヨーク市のブルックリン区）でのイベントを見つけることができる。ディスカバーメニュー項目を選択すると、図１３の画面が現れ、日付ごとの各種イベントの一覧が表示されてもよい。来場者がその一覧からイベントを選択すると、そのイベントについての詳細情報が得られる。来場者がナビゲーションメニュー８０１からプロフィールメニュー項目を選択すると、図１４の画面が現れ、来場者のプロフィールが表示されてもよい。プロフィールには、来場者が受け取った電子メッセージの受信ボックスも表示される。来場者はこれを読んで、他のユーザからの電子連絡に返信することができる。プロフィールには、来場者のフォロワーの数および来場者がフォローしているユーザの数が表示される。プロフィールには、来場者が現在参加中、過去に参加した、および／またはこれから参加を予定しているイベントの数も表示することができる。また、来場者の写真やアバターもプロフィールに表示することができる。
【００８１】
[0081] 以上、本発明の好ましい実施態様について説明してきたが、そのような態様が例示の目的にすぎないことは、当業者にとっては明らかであろう。本発明が明細書に記載された特定の例に限定されることを意図したものではない。上記明細書を参照して本発明を説明してきたが、そのような説明および図は限定的に解釈されることを意味するものではない。当業者であれば、本発明から逸脱することなく多数の変形、変更および置換に想到するであろう。さらに、本発明のすべての局面は、様々な条件および可変事項に依存する、記載された特定の記述、構成または相対的割合に限定されるものではないことが理解されるであろう。記載された本発明の態様についての種々の代替は、本発明の実施に用いてもよい、と理解されるべきである。したがって、本発明は、そのような代替、改変、変形、または均等物をすべて包含するものである。以下の請求項が本発明の範囲を画定し、これら請求項の範囲内の方法および構造、そしてこれらの均等物がここに含まれることを意図するものである。
【図１】
2015092325.tif 000003
【図２】
2015092325.tif 000004
【図３】
2015092325.tif 000005
【図４】
2015092325.tif 000006
【図５】
2015092325.tif 000007
【図６】
2015092325.tif 000008
【図７】
2015092325.tif 000009
【図８】
2015092325.tif 000010
【図９】
2015092325.tif 000011
【図１０】
2015092325.tif 000012
【図１１】
2015092325.tif 000013
【図１２】
2015092325.tif 000014
【図１３】
2015092325.tif 000015
【図１４】
2015092325.tif 000016
【外国語明細書】
2015092325000001.pdf